(57)【要約】【課題】ソール構造において、切り返し動作をスムーズに行うことができるようにする。【解決手段】ソール構造１は、路面側に配置された板状の基板部５と、基板部５から上方に向かって突出しかつ互いに間隔をあけて配置された弾性変形可能な複数の柱部６，６，…と、基板部５の上方に配置された上板部７（積層体）とを備えている。各柱部６は、下端部が基板部５に固定されかつ上端部が上板部７に固定された状態で基板部５と上板部７との間に配置されている。【選択図】図１
2019165937.tif 000002
【特許請求の範囲】
【請求項１】
シューズ用のソール構造であって、
路面側に配置された板状の基板部と、
前記基板部から上方に向かって突出しかつ互いに間隔をあけて配置された弾性変形可能な複数の柱部と、
前記基板部の上方に配置された積層体と、を備え、
前記各柱部は、下端部が前記基板部に固定されかつ上端部が前記積層体に固定された状態で該基板部と該積層体との間に配置されている、ソール構造。
【請求項２】
請求項１に記載のソール構造において、
前記複数の柱部は、前記基板部において少なくとも着用者の足の拇指球を含む前足部の位置に配置されている、ソール構造。
【請求項３】
請求項１または２に記載のソール構造において、
前記基板部および前記積層体の周縁部には、該基板部と該積層体との間隙を塞ぐための壁部が設けられている、ソール構造。
【請求項４】
請求項１〜３のいずれか１項に記載のソール構造において、
前記基板部と前記柱部とは一体形成されており、
前記基板部および前記柱部は、弾性材からなるアウトソールである、ソール構造。
【請求項５】
請求項４に記載のソール構造において、
前記積層体は、基板部および柱部の少なくともいずれか一方と同じ弾性材からなる、ソール構造。
【請求項６】
請求項１〜５のいずれか１項に記載のソール構造において、
前記積層体は、板状の上板部である、ソール構造。
【請求項７】
請求項１〜５のいずれか１項に記載のソール構造において、
前記積層体は、フィルム状のシート材である、ソール構造。
【請求項８】
請求項４に記載のソール構造において、
前記積層体は、前記アウトソールよりも軟質な弾性材からなるミッドソールである、ソール構造。
【請求項９】
請求項１〜４のいずれか１項に記載のソール構造において、
前記積層体は、着用者の足裏に対応する位置に配置されたアッパーの下部である、ソール構造。
【請求項１０】
請求項１〜９のいずれか１項に記載のソール構造において、
前記複数の柱部は、各々が弾性変形するときの変形方向に異方性を有するように構成されている、ソール構造。
【請求項１１】
請求項１〜９のいずれか１項に記載のソール構造において、
前記基板部の上面に占める前記複数の柱部の配置密度が着用者の足の各部位に応じて異なっている、ソール構造。
【請求項１２】
請求項１〜９のいずれか１項に記載のソール構造において、
前記複数の柱部における前記基板部の上面からの突出高さが着用者の足の各部位に応じて異なっている、ソール構造。
【請求項１３】
請求項１〜１２のいずれか１項に記載のソール構造を備えるシューズ。
【発明の詳細な説明】
【技術分野】
【０００１】
本発明は、ソール構造およびそれを用いたシューズに関するものである。
【背景技術】
【０００２】
従来、歩行時および走行時において着用者の足の接地感、歩き心地や走り心地を向上させたシューズ用のソール構造として、例えば特許文献１のようなソール構造が提案されている。
【０００３】
この特許文献１には、アウトソールの接地面が路面に接地して着用者の体重が踵支持面にかかったときに、収容部の左右壁面と収容部に収容された緩衝体の左右側端部との間に設けられた右側および左側間隙により、弾性材からなる緩衝体が収容部で左右方向に相対移動可能となるシューズ用のソール構造が開示されている（特許文献１の図５および図６を参照）。
【先行技術文献】
【特許文献】
【０００４】
【特許文献１】国際公開第２０１７／０５６５１３号明細書
【発明の概要】
【発明が解決しようとする課題】
【０００５】
ところで、バドミントン、卓球などの体育館種目の競技中において、例えば着用者が左側から右側に向かって切り返し動作を行う場面では、着用者の体重が左足を中心に外甲側に向かって一旦移動するようになる。このような場面において、特許文献１のソール構造では、特に左足用シューズにおいて、アウトソールが路面に接地して着用者の体重が踵支持面にかかったときに、緩衝体が収容部の左側間隙に向かって相対移動するようになる。これにより、ソール構造としてのクッション性が発揮されて、着用者の足にかかる負担を軽減することが可能となっていた。
【０００６】
しかしながら、特許文献１のソール構造では、例えば左側に向かう体重移動が終了してから着用者の体重が右側に移動するときに、収容部において一旦左側間隙に向かって移動した緩衝体が再び左側間隙から右側間隙に向かって復帰するように構成されていなかった。このため、着用者の足が左側から右側に向かって蹴り出される時の力が減衰されてしまう。その結果、切り返し動作を素早く行うことが困難となっていた。すなわち、特許文献１のソール構造では、切り返し動作をスムーズに行うことができなかった。
【０００７】
本発明は斯かる点に鑑みてなされたものであり、その目的は、切り返し動作をスムーズに行うことができるようにすることにある。
【課題を解決するための手段】
【０００８】
上記の目的を達成するために、本発明の第１の形態はシューズ用のソール構造に係るものであり、このソール構造は、路面側に配置された板状の基板部と、基板部から上方に向かって突出しかつ互いに間隔をあけて配置された弾性変形可能な複数の柱部と、基板部の上方に配置された積層体と、を備えている。そして、各柱部は、下端部が基板部に固定されかつ上端部が積層体に固定された状態で基板部と積層体との間に配置されていることを特徴とする。
【０００９】
第１の形態では、各柱部の下端部が基板部に固定されかつ各柱部の上端部が積層体に固定された状態で各柱部が基板部と積層体との間に配置されている。ここで、バドミントン、卓球などの体育館種目の競技中に着用者が例えば左側から右側に向かって切り返し動作を行う場合には、着用者の体重が左足を中心に外甲側に向かって一旦移動するようになる。このとき、各柱部は、積層体に固定された上端部が基板部に固定された下端部に対して左側に移動するように弾性変形する。この各柱部の弾性変形によりクッション性が発揮されて、切り返し動作時に着用者の足や膝にかかる負担を軽減することが可能となる。そして、左側に向かう体重移動が終了してから着用者の体重が右側に移動するときに、各柱部の弾性変形により生じた内部応力が元の状態に戻ろうとする復元力に変換される。この復元力により、各柱部の上端部が左側から右側に向かって移動するとともに、各柱部の上端部に固定された積層体も左側から右側に復帰するように移動する。これにより、着用者の足が左側から右側に向かって蹴り出される時の力が増大される。その結果、切り返し動作を素早く行うことが可能となる。したがって、第１の形態では、複数の柱部の弾性的な変形および復元により切り返し動作をスムーズに行うことができる。
【００１０】
第２の形態は、第１の形態において、複数の柱部は、基板部において少なくとも着用者の足の拇指球を含む前足部の位置に配置されていることを特徴とする。
【００１１】
この第２の形態では、柱部の弾性的な変形および復元による作用効果を、切り返し動作時に負荷がかかりやすい足の拇指球を含む前足部の位置で集中的に得ることができる。
【００１２】
第３の形態は、第１または第２の形態において、基板部および積層体の周縁部には、基板部と積層体との間隙を塞ぐための壁部が設けられていることを特徴とする。
【００１３】
この第３の形態では、壁部によりソール構造の外部から基板部と積層体との間隙に向かって異物が入り込むことを未然に防止することができる。
【００１４】
第４の形態は、第１〜第３のいずれか１つの形態において、基板部と柱部とは一体形成されており、基板部および柱部は、弾性材からなるアウトソールであることを特徴とする。
【００１５】
この第４の形態では、基板部と柱部とが一体形成されているため、各柱部の下端部を基板部に対し安定させることができる。また、基板部および柱部が弾性材からなるアウトソールとして構成されているため、着用者の足が接地したときの衝撃が基板部を介して柱部に伝わりやすくなり、柱部の弾性的な変形および復元による作用効果を高めることができる。
【００１６】
第５の形態は、第４の形態において、積層体は、基板部および柱部の少なくともいずれか一方と同じ弾性材からなることを特徴とする。
【００１７】
この第５の形態では、積層体と基板部および柱部の少なくともいずれか一方との一体性を高めることができる。
【００１８】
第６の形態は、第１〜第５のいずれか１つの形態において、積層体は、板状の上板部であることを特徴とする。
【００１９】
この第６の形態では、板状の上板部を設けることにより、接着性や作業性の向上を図ることができる。
【００２０】
第７の形態は、第１〜第５のいずれか１つの形態において、積層体は、フィルム状のシート材であることを特徴とする。
【００２１】
この第７の形態では、接着性や作業性の向上を図るとともに、シート材によりソール構造を軽量化することができる。
【００２２】
第８の形態は、第４の形態において、積層体は、アウトソールよりも軟質な弾性材からなるミッドソールであることを特徴とする。
【００２３】
この第８の形態では、ソール構造としての部品点数を減らすことができる。
【００２４】
第９の形態は、第１〜第４のいずれか１つの形態において、積層体は、着用者の足裏に対応する位置に配置されたアッパーの下部であることを特徴とする。
【００２５】
この第９の形態では、ソール構造を簡素化および軽量化することができる。
【００２６】
第１０の形態は、第１〜第９のいずれか１つの形態において、複数の柱部は、各々が弾性変形するときの変形方向に異方性を有するように構成されていることを特徴とする。
【００２７】
この第１０の形態では、柱部における弾性的な変形および復元の度合いを、着用者の動作の方向に応じて異ならせることができる。
【００２８】
第１１の形態は、第１〜第９のいずれか１つの形態において、基板部の上面に占める複数の柱部の配置密度が着用者の足の各部位に応じて異なっていることを特徴とする。
【００２９】
この第１１の形態では、柱部における弾性的な変形および復元の度合いを、着用者の足の各部位に応じて異ならせることができる。
【００３０】
第１２の形態は、第１〜第９のいずれか１つの形態において、複数の柱部における基板部の上面からの突出高さが着用者の足の各部位に応じて異なっていることを特徴とする。
【００３１】
この第１２の形態では、柱部における弾性的な変形および復元の度合いを、着用者の足の各部位に応じて異ならせることができる。
【００３２】
第１３の形態は、第１〜第１２の形態のいずれか１つのソール構造を備えるシューズである。
【００３３】
この第１３の形態では、上記第１〜第１２の形態と同様の作用効果を奏するシューズを得ることができる。
【発明の効果】
【００３４】
以上説明したように、本発明によると、切り返し動作をスムーズに行うことができる。
【図面の簡単な説明】
【００３５】
【図１】図１は、本発明の実施形態に係るソール構造およびこれを備えたシューズの全体構成を外甲側から見て示す側面図である。
【図２】図２は、アウトソールの構成を示す斜視図である。
【図３】図３は、アウトソールの構成を示す分解斜視図である。
【図４】図４は、図１のIV−IV線断面図である。
【図５】図５は、切り返し動作時における柱部の変形状態を模式的に示す図４相当図である。
【図６】図６は、変形例１のソール構造およびこれを備えたシューズの全体構成を外甲側から見て示す側面図である。
【図７】図７は、図６のVII−VII線断面図である。
【図８】図８は、変形例２のソール構造およびこれを備えたシューズの全体構成を外甲側から見て示す側面図である。
【図９】図９は、変形例２のアウトソールの構成を示す斜視図である。
【図１０】図１０は、変形例２のアウトソールの構成を示す分解斜視図である。
【図１１】図１１は、図８のXI−XI線断面図である。
【図１２】図１２は、変形例４のソール構造の縦断面状態を示す図４相当図である。
【図１３】図１３は、変形例５のソール構造の縦断面状態を示す図４相当図である。
【図１４】図１４は、変形例６の基板部および柱部の構成を示す斜視図である。
【図１５】図１５は、変形例７の基板部および柱部の構成を示す斜視図である。
【図１６】図１６は、変形例８の基板部および柱部の構成を示す斜視図である。
【図１７】図１７は、変形例９の基板部および柱部の構成を示す斜視図である。
【図１８】図１８は、変形例１０の基板部および柱部の構成を示す斜視図である。
【図１９】図１９は、変形例１１の基板部および柱部の構成を示す斜視図である。
【図２０】図２０は、変形例１２の基板部および柱部の構成を示す斜視図である。
【図２１】図２１は、図２０のXXI−XXI線断面図である。
【発明を実施するための形態】
【００３６】
以下、本発明の実施形態を図面に基づいて詳細に説明する。以下の実施形態の説明は、本質的に例示に過ぎず、本発明、その適用物或いはその用途を制限することを意図するものではない。
【００３７】
図１は、本発明の実施形態に係るソール構造１およびこれを備えたシューズＳの全体を示し、このシューズＳは、例えばバドミントン、卓球などの体育館種目に用いられるスポーツシューズ、日常使用のスニーカーおよびリハビリ用シューズとして使用される。
【００３８】
ここで、ソール構造１は、左足用シューズのソール構造のみを例示している。右足用シューズのソール構造は、左足用シューズのものと左右対称となるように構成されている。このため、以下の説明では、左足用シューズのソール構造のみについて説明し、右足用シューズのソール構造の説明を省略する。
【００３９】
また、以下の説明において、上方（上側）および下方（下側）とは、ソール構造１の上下方向の位置関係を表すものとする。また、前側および後側とは、ソール構造１の前後方向の位置関係を表すものとする。さらに、内甲側および外甲側とは、ソール構造１の足幅方向の位置関係を表すものとする。
【００４０】
図１および図４に示すように、ソール構造１は、ミッドソール２を備えている。ミッドソール２は、着用者の足裏全体を支持するように構成されている。ミッドソール２は、軟質の弾性材からなり、例えばエチレン−酢酸ビニル共重合体（ＥＶＡ）等の熱可塑性合成樹脂やその発泡体、ポリウレタン（ＰＵ）等の熱硬化性樹脂やその発泡体、ブタジエンラバーやクロロプレンラバー等のラバー素材やその発泡体などが適している。
【００４１】
ミッドソール２の上側には、着用者の足裏全体を支持する足裏支持面が形成されている。ミッドソール２の周縁部には、着用者の足を覆うアッパー３が設けられている。
【００４２】
次に、図１〜図４に示すように、ソール構造１は、アウトソール４を備えている。アウトソール４は、ミッドソール２の下側に積層配置されている。この実施形態において、アウトソール４は、着用者の足の前足部から後足部に亘る範囲に配設されている。
【００４３】
アウトソール４は、ミッドソール２よりも高硬度の硬質弾性部材で構成されている。具体的に、アウトソール４の材料としては、例えばエチレン−酢酸ビニル共重合体（ＥＶＡ）等の熱可塑性樹脂、ポリウレタン（ＰＵ）等の熱硬化性樹脂、またはブタジエンラバーやクロロプレンラバー等のラバー素材が適している。
【００４４】
アウトソール４は、上述した高硬度の弾性材からなる基板部５を有している。基板部５は、路面側に配置されている。基板部５は、略板状に形成されている。
【００４５】
アウトソール４は、弾性変形可能な複数の柱部６，６，…を有している。柱部６，６，…は、基板部５と同じ弾性材からなり、基板部５と一体形成されている。柱部６，６，…は、基板部５の上面から上方に向かって円柱状に突出している。この実施形態では、各柱部６が同じ大きさの円柱状に形成されている。なお、図１では、柱部６，６，…を強調して示すために、柱部６，６，…にドットによるハッチングを付している。図４および図５についても、これと同様に、柱部６，６，…にドットによるハッチングを付している。
【００４６】
柱部６，６，…は、各々が基板部５の上面で互いに等間隔となるように配置されている。柱部６，６，…は、基板部５において着用者の足裏全体に対応する位置に配置されている。なお、柱部６，６，…は、基板部５において少なくとも着用者の足の拇指球を含む前足部の位置に配置されていればよい。
【００４７】
アウトソール４は、積層体を有している。この実施形態において、積層体は、板状の上板部７として構成されている。上板部７は、基板部５および柱部６，６，…と同じ弾性材からなり、基板部５の上方に配置されている。上板部７の下面は、基板部５の上面と間隔をあけて対向している。なお、この実施形態では、上板部７が各柱部６とは別部材として構成されている。
【００４８】
各柱部６の下端部は、基板部５の上面に固定されている。各柱部６の上端部は、上板部７の下面７ｂに固定されている。そして、各柱部６は、基板部５および上板部７に固定された状態で基板部５と上板部７との間に配置されている。なお、この実施形態では、ソール構造１の外部から基板部５と上板部７との間隙に位置する柱部６，６，…が視認可能となっている。
【００４９】
（実施形態の作用効果）
以上のように、各柱部６の下端部が基板部５に固定されかつ各柱部６の上端部が上板部７（積層体）に固定された状態で各柱部６が基板部５と上板部７との間に配置されている。ここで、バドミントン、卓球などの体育館種目の競技中に着用者が例えば左側から右側に向かって切り返し動作を行う場合には、着用者の体重が左足を中心に外甲側に向かって一旦移動するようになる。このとき、図５に示すように、各柱部６は、上板部７に固定された上端部が基板部５に固定された下端部に対して左側に移動するように弾性変形する。この柱部６，６，…の弾性変形によりクッション性が発揮されて、切り返し動作時に着用者の足や膝にかかる負担を軽減することが可能となる。そして、左側に向かう体重移動が終了してから着用者の体重が右側に移動するときに、各柱部６の弾性変形により生じた内部応力が元の状態に戻ろうとする復元力に変換される。この復元力により、各柱部６の上端部が左側から右側に向かって移動するとともに、各柱部６の上端部に固定された上板部７も左側から右側に復帰するように移動する。これにより、着用者の足が左側から右側に向かって蹴り出される時の力が増大される。その結果、切り返し動作を素早く行うことが可能となる。したがって、本発明の実施形態に係るソール構造１では、柱部６，６，…の弾性的な変形および復元により切り返し動作をスムーズに行うことができる。
【００５０】
また、柱部６，６，…は、基板部５において少なくとも着用者の足の拇指球を含む前足部の位置に配置されている。このため、柱部６，６，…の弾性的な変形および復元による作用効果を、切り返し動作時に負荷がかかりやすい足の拇指球を含む前足部の位置で集中的に得ることができる。
【００５１】
また、基板部５と柱部６，６，…とは一体形成されており、基板部５および柱部６，６，…が弾性材からなるアウトソール４として構成されている。このため、各柱部６の下端部を基板部５に対し安定させることができる。さらに、着用者の足が接地したときの衝撃が基板部５を介して各柱部６に伝わりやすくなり、各柱部６の弾性的な変形および復元による作用効果を高めることができる。
【００５２】
また、積層体は、基板部５および柱部６，６，…と同じ弾性材からなる板状の上板部７として構成されている。このため、積層体としての上板部７と基板部５および柱部６，６，…との一体性を高めることができる。
【００５３】
また、積層体として板状の上板部を設けることにより、接着性や作業性の向上を図ることができる。
【００５４】
（実施形態の変形例１）
上記実施形態では、ソール構造１の外部から基板部５と上板部７との間隙に位置する柱部６，６，…が視認可能な形態を示したが、この形態に限られない。例えば、図６および図７に示した変形例１のように、基板部５および上板部７（積層体）の周縁部には、基板部５と上板部７との間隙を塞ぐための壁部８ａが設けられていてもよい。具体的に、この壁部８ａは、基板部５および上板部７の全周に配置されていて、基板部５と一体形成されている。このような変形例１では、ソール構造１の外部からアウトソール４の内部（すなわち、基板部５と上板部７との間隙）に向かって異物が入り込むことを未然に防止することができる。さらに、壁部８ａの上端部を上板部７の下面に固定することにより、柱部６，６，…および壁部８ａを介して基板部５と上板部７との固定強度を高めることができる。
【００５５】
（実施形態の変形例２）
上記実施形態では、アウトソール４を着用者の足裏全体に配設した形態を示したが、この形態に限られない。例えば、図８〜図１０に示した変形例２のように、アウトソール４を、着用者の足の前足部および後足部に対応する位置のそれぞれに分割して配置した形態としてもよい。この変形例２であっても、着用者の足の前足部および後足部の位置において柱部６，６，…による弾性的な変形および復元による作用効果を得ることができる。
【００５６】
また、上記変形例１では、壁部８ａを基板部５と一体形成した形態を示したが、この形態に限られない。例えば、図８〜図１１に示すように、輪状の壁部８ｂを、着用者の足の前足部に対応する位置に配置された基板部５の外周を覆うように取り付けてもよい。この変形例２であっても、基板部５と上板部７との間隙に異物が入り込むことを未然に防止することができる。なお、壁部８ｂの材料は、基板部５および各柱部６と同じ材料であってもよく、または基板部５および各柱部６と異なる材料であってもよい。
【００５７】
さらに、上記変形例１では、壁部８ａを基板部５の全周に配設した形態を示したが、この形態に限られず、壁部８ａを基板部５の外周における所定の部分に配設した形態としてもよい。例えば、図８〜図１０に示すように、着用者の足の後足部に対応する位置に配置された基板部５において、壁部８ａを基板部５の前端部および後端部のそれぞれに配設してもよい。
【００５８】
（実施形態の変形例３）
上記実施形態では、積層体が上板部７からなる形態を示したが、この形態に限られない。例えば、上板部７を、フィルム状のシート材（図示せず）に置き換えた形態としてもよい。具体的に、例えば予め上記シート材を各柱部６の上端部に接着剤や熱プレス等により固着し、シート材をミッドソール２の下面に張り付ける。この変形例３であっても、上記実施形態と同様の作用効果を得ることができる。また、各柱部６を直接的にミッドソール２の下面に固着する場合と比べて、接着性や作業性の向上を図ることができる。さらに、上板部７をシート材に置き換えることにより、積層体が上板部７である場合と比べてソール構造１全体を軽量化することができる。
【００５９】
（実施形態の変形例４）
上記実施形態では、積層体が上板部７として構成された形態を示したが、この形態に限られない。例えば、図１２に示した変形例４のように、上板部７を設けずに、各柱部６の上端部をミッドソール２の下面に固定してもよい。すなわち、ミッドソール２を積層体としてもよい。この変形例４であっても、各柱部６の上端部がミッドソール２の下面に固定されていれば、上記実施形態と同様の作用効果を得ることができる。さらに、ソール構造１としての部品点数を減らすことができる。
【００６０】
（実施形態の変形例５）
また、図１３に示した変形例５のように、ミッドソール２および上板部７を設けずに、各柱部６の上端部を着用者の足裏に対応する位置に配置されたアッパー３の下部に固定してもよい。すなわち、着用者の足裏に対応する位置に配置されたアッパー３の下部を積層体としてもよい。この変形例５であっても、各柱部６の上端部がアッパー３の下部に固定されていれば、上記実施形態と同様の作用効果を得ることができる。さらに、ソール構造１を簡素化および軽量化することにより、変形例５のソール構造１を例えばサッカーシューズなどに適用することができる。
【００６１】
（実施形態の変形例６〜１１）
上記実施形態では、各柱部６を円柱状に形成した形態を示したが、この形態に限られず、種々の形状にすることが可能である。例えば、図１４に示した変形例６のように、各柱部６を略円筒状に形成してもよい。または、図１５に示した変形例７のように、円柱状の各柱部６を、上下方向の中間部全周が湾曲状にくびれた形状となるように形成してもよい。または、図１６に示した変形例８のように、各柱部６を略楕円状に形成してもよい。または、図１７に示した変形例９のように、各柱部６を、平面視で略矩形状に形成しかつ側面視で下端部から上端部に向かって先細る台形状となるように形成してもよい。または、図１８に示した変形例１０のように、各柱部６を略三角柱状に形成してもよい。または、図１９に示した変形例１１のように、各柱部６を平面視で略十字状となるように形成してもよい。
【００６２】
（実施形態の変形例１２）
上記実施形態では、柱部６，６，…の各々を、互いに同一の形状（円柱状）となるように形成しかつ基板部５の上面で等間隔に配置した形態を示したが、この形態に限られない。
【００６３】
具体的に、図２０に示した変形例１２では、足幅方向中央部から外甲側に亘る領域（以下、外甲側領域という）に四角柱状の柱部６，６，…が配置されている。一方、足幅方向中央部から内甲側に亘る領域（以下、内甲側領域という）には、円柱状の柱部６，６，…が配置されている。
【００６４】
外甲側領域では、各柱部６の断面積が基板部５の前側から後側に向かって徐々に小さくなっている一方、内甲側領域では、各柱部６の断面積が基板部５の前側から後側に向かって徐々に大きくなっている。これにより、外甲側領域では、基板部５の前側から後側に向かうにつれて柱部６，６，…の変形量が大きくなる一方、内甲側領域では、基板部５の前側から後側に向かうにつれて柱部６，６，…の変形量が小さくなる。すなわち、変形例１２の柱部６，６，…では、各々が弾性変形するときに足の部位によって変形量に差が生じるように構成されている。これにより、各柱部６における弾性的な変形および復元の度合いを、着用者の足の各部位に応じて異ならせることができる。
【００６５】
また、外甲側領域では、各柱部６の辺部が前後方向に向くように配列された第１列と、各柱部６の隅角部が前後方向に向くように配列された第２列と、が足幅方向で交互に配置されている。これにより、第１列の各柱部６は、前後方向および足幅方向に向かって弾性変形しやすくなる一方、第２列の各柱部６は、前後方向および足幅方向の各々に対して略４５度傾いた方向に向かって弾性変形しやすくなっている。すなわち、変形例１２において、外甲側領域に配置された柱部６，６，…は、各々が弾性変形するときの変形方向に異方性を有するように構成されている。
【００６６】
また、図２１にも示すように、外甲側領域に位置する各柱部６は、内甲側領域に位置する各柱部６よりも高くなっている。さらに、内甲側領域では、各柱部６の高さが足幅方向中央部から内甲側に向かって徐々に低くなっている。すなわち、外甲側領域では各柱部６の変形量が相対的に大きくなる一方、内甲側領域では各柱部６の変形量が相対的に小さくなるように構成されている。これにより、特に外甲側領域で各柱部６の弾性的な変形および復元による作用が高まるため、切り返し動作をよりスムーズに行うことができる。また、アッパー３の過変形による棚落ちを防止することもできる。なお、外甲側領域から内甲側領域に向かって各柱部６の配置密度を小さくしても、同様の効果を奏し得る。
【００６７】
また、図２０に示すように、内甲側領域における拇指球に対応する位置では、各柱部６の高さが拇指球以外の他の部位に位置する各柱部６よりも低くなるように構成されている。これにより、拇指球に対応する位置では、接地時に各柱部６における垂直方向の過度な変形が抑えられて、安定性を保つことができる。なお、拇指球に対応する位置に配置された各柱部６の配置密度を相対的に大きくし、または各柱部６の断面積を相対的に大きくしても同様の効果を奏し得る。
【００６８】
以上、変形例１２のように、柱部６，６，…は、各々が弾性変形するときの変形方向に異方性を有するように構成されていてもよい。このような異方性により、各柱部６における弾性的な変形および復元の度合いを、着用者の動作の方向に応じて異ならせることができる。
【００６９】
また、基板部５の上面に占める柱部６，６，…の配置密度が着用者の足の各部位に応じて異なるように構成してもよい。さらに、柱部６，６，…における基板部５の上面からの突出高さが着用者の足の各部位に応じて異なるように構成してもよい。このように構成すれば、各柱部６における弾性的な変形および復元の度合いを、着用者の足の各部位に応じて異ならせることができる。
【００７０】
（その他の実施形態）
上記実施形態では、各柱部６の上端部を、各柱部６とは別部材として構成された上板部７の下面に固定した形態を示したが、この形態に限られない。すなわち、基板部５および柱部６，６，…と上板部７とを一体形成した形態としてもよい。
【００７１】
また、上記実施形態では、基板部５、各柱部６、および上板部７の各々が同じ弾性材からなる形態を示したが、この形態に限られない。例えば、基板部５と各柱部６とが互いに異なる弾性材からなり、かつ上板部７が基板部５および各柱部６のいずれか一方と同じ弾性材からなる形態であってもよい。あるいは、基板部５が弾性を有しない材料からなり、かつ各柱部６および上板部７の各々が同じ弾性材からなる形態であってもよい。このような形態であれば、積層体としての上板部７と、基板部５および各柱部６のいずれか一方との一体性を高めることができる。
【００７２】
以上、本発明についての実施形態を説明したが、本発明は上述の実施形態のみに限定されず、発明の範囲内で種々の変更が可能である。
【産業上の利用可能性】
【００７３】
本発明は、例えばバドミントン、卓球などの体育館種目などのスポーツ用シューズに適用されるソール構造およびそれを用いたシューズとして産業上の利用が可能である。
【符号の説明】
【００７４】
Ｓ：シューズ
１：ソール構造
２：ミッドソール
３：アッパー
４：アウトソール
５：基板部
６：柱部
７：上板部（積層体）
８ａ，８ｂ：壁部
【図１】
2019165937.tif 000003
【図２】
2019165937.tif 000004
【図３】
2019165937.tif 000005
【図４】
2019165937.tif 000006
【図５】
2019165937.tif 000007
【図６】
2019165937.tif 000008
【図７】
2019165937.tif 000009
【図８】
2019165937.tif 000010
【図９】
2019165937.tif 000011
【図１０】
2019165937.tif 000012
【図１１】
2019165937.tif 000013
【図１２】
2019165937.tif 000014
【図１３】
2019165937.tif 000015
【図１４】
2019165937.tif 000016
【図１５】
2019165937.tif 000017
【図１６】
2019165937.tif 000018
【図１７】
2019165937.tif 000019
【図１８】
2019165937.tif 000020
【図１９】
2019165937.tif 000021
【図２０】
2019165937.tif 000022
【図２１】
2019165937.tif 000023